(57)【特許請求の範囲】
【請求項１】
インパクトスラグを、インパクト成形して有底筒状容器を成形するインパクト工程と、
そのインパクト工程に続き、前記有底筒状容器の口部を絞り込み、その先端にビード部を形成するネッキング工程と、
そのネッキング工程に続き、前記有底筒状容器の底部を、逆絞りパンチにより内側に押込む逆絞り加工を施す逆絞り工程とからなり、
その逆絞り工程が、前記ネッキング工程により絞り込まれた胴部上端から先端のビード部までの外周付近を、その外周形状に沿った支持具により支持すると共に、
有底筒状容器の底部を内側に押し込む中央突出部と、その中央突出部と離れて配置され、その中央突出部の基端側から突出方向の中間付近まで延びるガイド部とを有する逆絞りパンチを用い、
前記中央突出部で収納室の外周壁を形成し、前記ガイド部で胴部の側面部をガイドすることにより行われる収納室付エアゾール容器の製造方法。
【請求項２】
前記インパクト工程の後に、内面塗装工程を施す請求項１記載の収納室付エアゾール容器の製造方法。
【請求項３】
前記インパクト工程とネッキング工程との間に、
先端部が小径で、基部が大径の段差を有するアイアニングパンチおよびこれに対応するダイを用いて、前記有底筒状容器の胴部に肉厚の段差が形成されるように絞りしごき加工を施す絞りしごき工程を行う請求項１記載の収納室付エアゾール容器の製造方法。
【請求項４】
前記絞りしごき工程の後に、内面塗装工程を施す請求項３記載の収納室付エアゾール容器の製造方法。
【請求項５】
前記逆絞り工程後に、収納室の外周壁に係合溝を形成する請求項１、２、３または４記載の収納室付エアゾール容器の製造方法。
【発明の詳細な説明】
【０００１】
【発明の属する技術分野】
この発明は、エアゾール容器本体と収納室とが連結された、収納室付エアゾール容器の製造方法に関するものである。
【０００２】
【従来の技術】
従来、泡状頭髪理容剤を収納したエアゾール容器には、クシ等が付属部品として、別途エアゾール容器本体の側面、或いは頭部に取付けられて販売されている。又、この泡状頭髪理容剤を使用する際に、同時に他の頭髪理容剤も併せて使用しなければならない場合に、これらの理容剤は、別々のエアゾール容器に収納され、店舗等において陳列する場合には、これら２本のエアゾール容器を、各々別々に横に並べて陳列していた。
【０００３】
【発明が解決しようとする課題】
しかしながら、このような発明にあっては、クシ等をエアゾール容器本体の頭部、或いはエアゾール容器の胴部側面等の外部に取付けて陳列しなければならず、見栄えが悪いと共に、店舗等において陳列面積を余分に必要とし、陳列本数の多い場合は、より広いスペースを必要とする欠点があった。
【０００４】
この発明は、このような従来の課題に着目してなされたもので、陳列した場合において見栄えが良く、又陳列面積を必要としない収納室を内蔵したエアゾール容器の製造方法を提供することを目的とする。
【０００５】
【課題を解決するための手段】
この課題を解決するため、請求項１記載の発明に対応する解決手段は、インパクトスラグを、インパクト成形して有底筒状容器を成形するインパクト工程と、そのインパクト工程に続き、前記有底筒状容器の口部を絞り込み、その先端にビード部を形成するネッキング工程と、そのネッキング工程に続き、前記有底筒状容器の底部を、逆絞りパンチにより内側に押込む逆絞り加工を施す逆絞り工程とからなり、その逆絞り工程が、前記ネッキング工程により絞り込まれた胴部上端から先端のビード部までの外周付近を、その外周形状に沿った支持具により支持すると共に、有底筒状容器の底部を内側に押し込む中央突出部と、その中央突出部と離れて配置され、その中央突出部の基端側から突出方向の中間付近まで延びるガイド部とを有する逆絞りパンチを用い、前記中央突出部で収納室の外周壁を形成し、前記ガイド部で胴部の側面部をガイドすることにより行われる収納室付エアゾール容器の製造方法である。
【０００６】
次に、請求項２記載の発明に対応する解決手段は、前記インパクト工程の後に、内面塗装工程を施す収納室付エアゾール容器の製造方法である。
【０００７】
又、請求項３記載の発明に対応する解決手段は、前記インパクト工程とネッキング工程との間に、先端部が小径で、基部が大径の段差を有するアイアニングパンチおよびこれに対応するダイを用いて、前記有底筒状容器の胴部に肉厚の段差が形成されるように絞りしごき加工を施す絞りしごき工程を行う収納室付エアゾール容器の製造方法である。
【０００８】
さらに、請求項４記載の発明に対応する解決手段は、前記絞りしごき工程の後に、内面塗装工程を施す収納室付エアゾール容器の製造方法である。
【０００９】
又、請求項５記載の発明に対応する解決手段は、前記逆絞り工程後に、収納室の外周壁に係合溝を形成する収納室付エアゾール容器の製造方法である。
【００１３】
【発明の実施の形態】
次に、この発明の実施の形態を図面に基づいて説明する。図１は、この発明の製造方法の第１の実施形態により製造された収納室付エアゾール容器を示すもので、エアゾール容器本体１と、収納室２とが一体成形され、連続している収納室付エアゾール容器である。この収納室付エアゾール容器では、エアゾール容器本体１と収納室２との肉厚が、略同等の肉厚で構成されている。そして、その製造方法は、従来公知のインパクト成形方法で製造された有底筒状の容器の開口に、ネッキング加工を施してビード部３を形成し、その後このエアゾール容器本体１の底部に、逆絞り加工を施して収納室２を、エアゾール容器本体１内に形成するものである。又、この収納室付エアゾール容器態は、一体成形によって、エアゾール容器本体１と収納室２とが連続しているので、以下の図２に示す巻締めタイプの収納室付エアゾール容器と比較すると、内容物が洩れない利点がある。
【００１４】
図２は、この発明の範囲外の収納室付エアゾール容器を示すもので、エアゾール容器本体４と収納室５とが別成形され、後で各々巻締められるものである。エアゾール容器本体４と収納室５との肉厚は、同じであっても異なっていてもよい。この実施形態の製造方法は、従来公知のインパクト成形方法で製造された有底筒状のエアゾール容器本体の底部を切断して、巻締用の縁部を形成し、他方開口にネッキング加工を施してビード部６を形成したものである。そして、別途金属板を絞り加工して、カップ状に形成した収納室５の縁部７を、エアゾール容器本体４の胴部下方に巻締めて固定したものである。
【００１５】
図３は、この発明の製造方法の第２の実施形態により製造された収納室付エアゾール容器を示すもので、エアゾール容器１０のビード部１１及び胴部上部１２が、薄肉に形成され、かつ胴部基部１３並びにこれに連続する収納室１４の天面部１５並びに外周壁１６を厚肉に形成した収納室付エアゾール容器である。この実施形態の特徴は、エアゾール容器本体１０の胴部上部１２が薄肉に形成され、胴部基部１３及び収納室１４が厚肉に形成される点にある。従来、エアゾール容器の加工の際には、軸方向に一定以上の荷重が掛ることが知られている。この軸方向の荷重に耐えるために、胴部及び底部の全体を、厚肉に形成した場合、必要以上に材料が無駄になる欠点がある。
【００１６】
又、逆に材料を節約するために、胴部及び底部の全体を薄肉に形成すると、ビード部の加工の際及びエアゾールバルブをクリンチする際に、軸方向の荷重により、エアゾール容器本体１０の底部付近が座屈するという問題があった。発明者等は、この実施形態において、軸方向の荷重が大きく掛る胴部基部１３を厚肉に形成し、その他の軸荷重が、それほど影響しない部位の胴部上部１２を薄肉に形成することで、エアゾール容器本体１０の材料の節約を図ることができる点に着目し、この収納室付エアゾール容器の製造方法を案出したのである。具体的には、薄肉に形成された胴部上部１２の肉厚は、厚肉の胴部基部１３の肉厚に対し、７０％〜９５％の範囲で薄肉化されるのが望ましい。なお、収納部１４の肉厚は胴部基部１３と略同等か、若干厚く構成されている。例えば、外径が４０φのエアゾール容器の場合、胴部上部の肉厚が０．３５ｍｍ、胴部基部１３の肉厚が０．４５ｍｍ（胴部上部の肉厚／胴部基部の肉厚×１００≒７８％）に成形されることにより、加工の際に、掛かる軸方向の荷重に十分耐え得ることが判明した。
【００１７】
図４は、この発明の製造方法の第３の実施形態により製造された収納室付エアゾール容器を示すもので、この出願に係る第２の実施形態により製造されたエアゾール容器本体１０内に形成された収納室１４の外周壁１６に、係合溝１７が形成されたものである。なお、図１１に示すように、この収納室１４内に収納される物品を封緘するため、この係合溝１７には、底蓋３３の凸部が嵌着される。
【００１８】
図５〜図９は、第２の実施形態に係るエアゾール容器本体１０の製造工程を示した図面である。図５は、インパクト工程において、アルミスラグをインパクト成形して、有底筒状の容器２０ａを成形した場合の断面図である。この工程で成形される有底筒状の容器２０ａの肉厚は、どの部位も略同厚に形成されるか、或いは底部１９が他の部位より若干厚く構成される。
【００１９】
次に、図６は図５において成形された有底筒状の容器２０ａに、絞りしごき加工を施している状態を示す断面図である。すなわち、大径部（Ｘ）と小径部（Ｙ）とから構成された段差２１を有するアイアニングパンチ２２を、有底筒状の容器２０ａの内面に、上方から挿入し、ダイ２３との間で絞りしごき加工を施すものである。この図６に示す製造工程の特徴は、段差２１を有するアイアニングパンチ２２を用いて、部分的に厚薄の肉厚を有する胴部上部１２及び胴部下部１８を有する有底筒状の容器２０ａを成形する。この工程において、ダイリング２３は、従来絞りしごき加工用として用いられているダイ２３を使用し、段差２１を有するアイアニングパンチ２２との間で、絞りしごき加工が施される。そして、最終的には図７に示すように、胴部上部１２は厚肉に、胴部下部１８は薄肉に形成される。なお、段差２１は、有底筒状容器２０ａの缶丈の任意の位置に形成できる。すなわち収納室１４の高さに応じて決定できる。
【００２０】
次に、図８は口部にネッキング加工により、ビード部２４が施された場合のエアゾール容器本体２０を示した断面図である。この工程においては、エアゾール容器本体２０の高さ寸法を調整するために、エアゾール容器本体２０の開口端部を切り揃える、トリミング加工が施され、その後洗浄工程、内面塗装工程、印刷工程を経ると共に、口部のネッキング加工によりビード部２４が形成される。なおトリミング加工工程、洗浄工程、内面塗装工程、印刷工程の製造工程の順序は、上記順序に限定されるものでなく、適宜に順序変更することも可能である。
【００２１】
図９は、前記したトリミング加工工程、洗浄工程、内面塗装工程、印刷工程、ネッキング工程を経た後、エアゾール容器本体２０に逆絞り加工する工程を示した断面図である。エアゾール容器本体２０を支持具２６に嵌合し、逆絞りパンチ２５で底部１９を、エアゾール容器本体２０の内側に押し込んで、逆絞り加工を施すものである。この際、逆絞りパンチ２５の中央突出部２５ａが、底部１９を押し込んで収納室１４を成形し、かつ周囲のガイド部２５ｂでエアゾール容器本体２０の側面部がガイドされることにより、逆絞り加工が施される。
【００２２】
次に、この収納室付エアゾール容器の具体的実施例を図１０及び図１１に示す。図１０は、エアゾール容器本体２０内に形成された収納室１４内に、別のエアゾール容器３０が挿着された断面図である。店舗等に陳列する場合、同時に使用される頭髪理容剤、化粧品等を、このようにエアゾール容器本体２０の収納室１４に、他のエアゾール容器３０を挿着した状態で一体化して陳列することができる。
【００２３】
さらに、図１１は収納室１４内に、エアゾール容器本体２０内に収納される物質とは、異なる物質が収納される具体的実施例である。例えば、クシ３２が収納された実施例を示す図面である。この収納室１４の開口には、底蓋３３が係合溝１７で係止されて固定されている。なお、クシ以外に、クリーム状の化粧品等の収納、或いはエアゾール容器本体２０内に収納された内容物を加温するための発熱体（化学物質）を収納することも可能である。
【００２４】
【発明の効果】
以上説明してきたように、この発明によれば、エアゾール容器本体内に収納室を設けたから、店舗等に陳列する場合において、陳列の見栄えが良く、又陳列面積を必要としない効果を有する。
【図面の簡単な説明】
【図１】この発明の製造方法の第１の実施形態により製造された収納室付エアゾール容器を示す正面断面図。
【図２】この発明の範囲外のエアゾール容器を示す正面断面図。
【図３】この発明の製造方法の第２の実施形態により製造された収納室付エアゾール容器を示す正面断面図。
【図４】この発明の製造方法の第３の実施形態により製造された収納室付エアゾール容器を示す正面断面図。
【図５】この発明に係る製造方法において、インパクト成形された有底筒状の容器を示した正面断面図。
【図６】この発明に係る製造方法において、インパクト成形された有底筒状の容器に、絞りしごき加工を施している状態を示す正面断面図。
【図７】この発明に係る製造方法において、絞りしごき加工を施した肉厚に、部分的に厚薄をつけた有底筒状容器を示す正面断面図。
【図８】この発明に係る製造方法において、肉厚に部分的に厚薄をつけた、有底筒状容器の口部に、ビード部を形成した正面断面図。
【図９】この発明に係る製造方法において、部分的に肉厚に厚薄をつけたエアゾール容器の底部に、逆絞り加工を施している状態を示す正面断面図。
【図１０】この発明に係る収納室付エアゾール容器の収納室に、他のエアゾール容器を挿着した状態を示す一部切欠断面図。
【図１１】この発明に係る収納室付エアゾール容器の収納室に、クシを収納した状態を示す断面図。
【符号の説明】
１、４、１０、２０  エアゾール容器本体
２、５、１４  収納室
３、６、１１、２４  ビード部
１２  胴部上部
１３  胴部基部
１５  天面部
１６  外周壁
１７  係合溝
１９  底部
２０ａ  有底筒状容器
２１  段差
２２  アイアニングパンチ
２３  ダイ
２５  逆絞りパンチ
２６ 支持具
３０  別のエアゾール容器
【図１】
0004091164.tif 000002
【図２】
0004091164.tif 000003
【図３】
0004091164.tif 000004
【図４】
0004091164.tif 000005
【図５】
0004091164.tif 000006
【図６】
0004091164.tif 000007
【図７】
0004091164.tif 000008
【図８】
0004091164.tif 000009
【図９】
0004091164.tif 000010
【図１０】
0004091164.tif 000011
【図１１】
0004091164.tif 000012